(57)【要約】【課題】種々の幅寸法のインクリボンに容易・安価に対応できるとともにランニングコストが低減でき、インクリボンコアに支持ホイールを速やかに装着することのできるインクリボンセットを提供する。【解決手段】インクリボンが巻回された繰出しインクリボンコアと、このインクリボンを巻取る巻取りインクリボンコアとを備えたインクリボンセットにおいて、前記各インクリボンコアを紙製管で形成すると共にその両端部に切欠溝を設け、前記両端部の切欠溝に係合する係合突起を備えた支持ホイールが前記各インクリボンコアに装着されていることを特徴とするインクリボンセット。【選択図】          図１
2004306449.tif 000002
【特許請求の範囲】
【請求項１】
インクリボンが巻回された繰出しインクリボンコアと、このインクリボンを巻取る巻取りインクリボンコアとを備えたインクリボンセットにおいて、前記各インクリボンコアを紙製管で形成すると共にその両端部に切欠溝を設け、前記両端部の切欠溝に係合する係合突起を備えた支持ホイールが前記各インクリボンコアに装着されていることを特徴とするインクリボンセット。
【請求項２】
前記各インクリボンコアの一端部の切欠溝が複数箇所に設けられていることを特徴とする請求項１記載のインクリボンセット。
【発明の詳細な説明】
【０００１】
【発明の属する技術分野】
本発明は、プリンタやファクシミリ装置等に使用するためのインクリボンセットの技術分野に関するものである。
【０００２】
【従来の技術】
熱転写プリンタ等には、プラスチックフィルム等の基材上にインクがコーティングされたインクリボンが使用される。
【０００３】
プリンタに取り付けられるインクリボンセットは、インクリボンコアにインクリボンが巻回され、かつインクリボンコアの両端部に支持ホイールが装着された繰出しインクリボンロールと繰出されたインクリボンを巻取り、かつインクリボンコアの両端部に支持ホイールが装着された巻取りインクリボンロールとから構成されている。
【０００４】
ここで各インクリボンロールは、プリンタにインクリボンを取り付ける時、取り付ける方向を間違いなく取り付けるために、インクリボンコアと支持ホイールとが樹脂で一体に形成されている。また各支持ホイールには、それぞれ直径の異なる支持丸棒が設けられるとともに一部にはギヤ部が設けられている。（例えば特許文献１参照）
【特許文献１】
特開２００１−１６３４８２（請求項１、図１）
【０００５】
【発明が解決しようとする課題】
この従来のインクリボンロールでは、インクリボンコアと支持ホイールとが樹脂で一体に形成されているので、インクリボン幅寸法が異なる別のプリンタ用のインクリボンロールを使用する場合には、新規にインクリボンコアの長さが異なる樹脂製の専用のインクリボンロールが必要となる。たとえ、各支持ホイールが同じ形状であったとしても、少なくとも、各種のインクリボンの幅寸法毎に、インクリボンコアの長さが異なる複数の射出用金型の製作が必要となり、多額の費用と時間を費やさなければならないという問題があった。またインクリボンセットを交換する際には、使用済みのリボンコアだけでなく、一体で形成されている支持ホイールも一緒に交換・廃棄されてしまうのでランニングコストが上昇してしまうという問題があった。
【０００６】
また、インクリボンコアと支持ホイールとが一体でなく別体の場合、インクリボンコアの切欠溝に係合突起を備えた支持ホイールを装着しようとすると、切欠溝が１箇所では、支持ホイールの係合突起が係合できる位置まで支持ホイールを大きく回転させなければならない場合があった。もし切欠溝が変形している場合には、支持ホイールが装着できないという問題も生じることがあった。
【０００７】
本発明の目的は、上記の問題に鑑み、種々の幅寸法のインクリボンに対しても、安価でかつ容易に製作することができ、かつランニングコストを低減できるインクリボンセットを提供することを第１の目的とする。また、インクリボンコアに支持ホイールを速やかに装着することのできるインクリボンセットを提供することを第２の目的とする。
【０００８】
【課題を解決するための手段】
本発明は、インクリボンが巻回された繰出しインクリボンコアと、このインクリボンを巻き取る巻取りインクリボンコアとを備えたインクリボンセットにおいて、前記各インクリボンコアを紙製管で形成すると共にその両端部に切欠溝を設け、前記両端部の切欠溝に係合する係合突起を備えた支持ホイールが前記各インクリボンコアに装着されていることを特徴とするインクリボンセットによって、前記の課題を解決した。
【０００９】
また本発明は、各インクリボンコアの一端部の切欠溝が複数箇所に設けられることを特徴とするインクリボンセットによって、前記の課題を解決した。
【００１０】
【作用】
上記の構成により、本発明のインクリボンセットは、インクリボンコアを紙製管にすることで、長い紙製管をその都度必要とするインクリボン幅寸法の長さに切断すれば良い。また、紙製であるから一般の刃物で容易に切断でき、切欠溝の加工も容易に行うことができる。もちろん新規の射出成形用金型を製作する費用・時間は不要なので、安価でしかも短時間に製作することができる。また支持ホイールはインクリボン交換時に廃棄する必要はなく再使用可能であるため、ランニングコストの低減にもつながる。
【００１１】
更に、インクリボンコアの一端部に切欠溝を複数箇所に設けることで、支持ホイールを無駄に回転させることなく支持ホイールの係合突起を切欠溝に簡単に係合することができる。
【００１２】
【発明の実施の形態】
以下に本発明の実施の形態を図面に基づいて詳細に説明する。
【００１３】
図１は本発明の実施形態におけるインクリボンセットの斜視図である。本発明のインクリボンセットは、繰出しインクリボンコア２と、巻取りインクリボンコア４と、前記繰出しインクリボンコア２に巻回され、かつ繰出しインクリボンコア２から繰出されて前記巻取りインクリボンコア４に巻取られるインクリボン１と、前記繰出しコア両端部に装着された繰出し側支持ホイール３ａ、３ｂと、前記巻取りコア両端部に装着された巻取り側支持ホイール５ａ、５ｂとから構成されている。
【００１４】
インクリボン１は従来と同様に、透明なプラスチックフィルムの基材上に熱転写性のインク層が塗布され、インク面とは反対側の面に耐熱滑性層が設けられた構成としたものが使用できる。
【００１５】
繰出しインクリボンコア２と、巻出しインクリボンコア４は従来のものと同様に紙製管からなり、製造コストの低減や部品管理の容易化を図るため同一円筒状となっている。繰出しインクリボンコア２の両端部には、繰出し側支持ホイール３ａおよび３ｂの係合突起８、８’が係合するための切欠溝６（３ヶ所）が設けられている。また巻取りインクリボンコア４の両端部には、巻取り側支持ホイール５ａ、５ｂの係合突起９、９’が係合するための切欠溝７（３ヶ所）が設けられている。
【００１６】
繰出し側支持ホイール３ａは単にプリンタ本体（図示せず）に支持される軸部を有し、一方繰出し側支持ホイール３ｂにはインクリボン１が巻取られる際にインクリボン１に対してテンションを与えて走行性を良くするために負荷を与えるバックテンションギア１０および被支持部としての軸部が設けられている。前記バックテンションギア１０は、繰出し側支持ホイール３ａに設けるようにしても良い。また、繰出し側支持ホイール３ａ、３ｂには繰出しインクリボンコア２の両端部の切欠溝６（３ヶ所）に係合可能な係合突起８、８’がそれぞれ設けられている。
【００１７】
巻取り側支持ホイール５ａにはプリンタ本体（図示せず）から駆動力を伝えられるための駆動ギヤ１１および被支持部としての軸部を有し、一方巻取り側支持ホイール５ｂは単にプリンタ本体（図示せず）に支持される軸部を有する。前記駆動ギア１１は、巻取り側支持ホイール５ｂに設けるようにしても良い。また、巻取り側支持ホイール５ａ、５ｂには巻取りインクリボンコア４の両端部の切欠溝７（３ヶ所）に係合可能な係合突起９、９’がそれぞれ設けられている。
【００１８】
繰出し側支持ホイール３ａ、３ｂと巻取り側支持ホイール５ａ、５ｂはそれぞれ各プリンタの軸受け部やギヤ部に合わせ、成型用樹脂で成形されたものを使用するが、繰出し側と巻取り側のホイールを区別するために、異なる色で着色されたものを使用するのが好ましい。
【００１９】
インクリボンの交換に際しては、繰出し側支持ホイール３ａ、３ｂと巻取り側支持ホイール５ａ、５ｂを再使用することができ、未使用のインクリボンが巻回されたインクリボンロールと巻取り用のインクリボンコアのみを交換すれば良い。そうすればランニングコストを低減することができる。また異なる幅寸法のインクリボンに対しても、その幅に切断しかつ必要な切欠溝を設けたリボンコアを準備すれば、繰出し側支持ホイール３ａ、３ｂと巻取り側支持ホイール５ａ、５ｂを装着するだけで良く、新たに成形したインクリボンコアを準備する必要はない。もちろん、各支持ホイールを再使用するのではなく、紙製の各インクリボンコアに対応した新規の支持ホイールを既に装着するようにしてもよい。
【００２０】
繰出しインクリボンコア２および巻取りインクリボンコア４の両端面には、切欠溝がそれぞれ３ヶ所設けてあるので、前記切欠溝のうちの１ヶ所に対して、支持ホイールの係合突起をはめ込むようにすればいいので、前記支持ホイールを大きく回転させることなく速やかに切欠溝に係合することができる。
【００２１】
【発明の効果】
本発明のインクリボンセットによれば、インクリボンコアを紙製管にすることで、長い紙製管を都度必要とするインクリボン幅寸法の長さに切断すれば良く、また、紙製であるから一般の刃物で容易に切断できるので、種々のインクリボン幅寸法のインクリボンセットを容易・安価にまた短時間に製作できるという効果がある。またインクリボンセット交換に際しては、使用済みのインクリボンコアのみを交換すれば、支持ホイールは再使用できるのでランニングコストの低減ができる。
【００２２】
更に、インクリボンコアの一端部に切欠溝を複数箇所に設けることで、支持ホイールを無駄に回転させることなく支持ホイールの係合突起を切欠溝に簡単に係合できるので、インクリボンコアに支持ホイールを速やかに装着できる。
【図面の簡単な説明】
【図１】本発明の実施形態におけるインクリボンセットの斜視図。
【符号の説明】
１          インクリボン
２          繰出しインクリボンコア
３ａ、３ｂ  繰出し側支持ホイール
４          巻取りインクリボンコア
５ａ、５ｂ  巻取り側支持ホイール
６          切欠溝
７          切欠溝
８、８’    係合突起
９、９’    係合突起
１０        バックテンションギヤ
１１        駆動ギヤ
【図１】
2004306449.tif 000003